【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
半静的パーシャルサブフレーム構成と、対応するパーシャルサブフレーム識別子とを受信すること、ここにおいて、前記半静的パーシャルサブフレーム構成は、制御部分およびデータ部分を有するパーシャルサブフレーム持続時間に関連する、と、
パーシャルサブフレームのための許可を受信すること、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を備える、方法。
【請求項２】
無線リソース制御（ＲＲＣ）メッセージ中の前記半静的パーシャルサブフレーム構成を受信すること
をさらに備える、請求項１に記載の方法。
【請求項３】
前記半静的パーシャルサブフレーム構成が、リソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、請求項１に記載の方法。
【請求項４】
動的パーシャルサブフレーム構成を受信することと、
前記動的パーシャルサブフレーム構成に少なくとも部分的に基づいて、前記パーシャルサブフレームに関してスケジュールされた前記データを受信することと、
をさらに備える、請求項１に記載の方法。
【請求項５】
前記半静的パーシャルサブフレーム構成が、時間領域多重化（ＴＤＭ）構成または周波数領域多重化（ＦＤＭ）構成のうちの少なくとも１つを備える、請求項１に記載の方法。
【請求項６】
前記パーシャルサブフレームのための前記許可が、ハイブリッド自動再送要求（ＨＡＲＱ）識別子（ＩＤ）、または再送信インデックス、または新規データインジケータ（ＮＤＩ）、あるいはそれらの組合せを備える、請求項１に記載の方法。
【請求項７】
前記許可が専用無線周波数スペクトル帯域上で受信される、請求項１に記載の方法。
【請求項８】
前記半静的パーシャルサブフレーム構成に少なくとも部分的に基づいて、前記共有無線周波数スペクトル帯域上で複数のパーシャルサブフレームに関してスケジュールされたデータを受信すること
をさらに備える、請求項１に記載の方法。
【請求項９】
少なくとも１つのフルサブフレーム中の、前記パーシャルサブフレーム中で最初に送信されたデータの再送信を受信すること
をさらに備える、請求項１に記載の方法。
【請求項１０】
前記半静的パーシャルサブフレーム構成が、サブフレームの始端において、またはサブフレームの終端において生じるパーシャルサブフレームのためのものである、請求項１に記載の方法。
【請求項１１】
前記半静的パーシャルサブフレーム構成は、前記半静的パーシャルサブフレーム構成が適用されるパーシャルサブフレームのタイプを示す、請求項１に記載の方法。
【請求項１２】
前記パーシャルサブフレームタイプがパーシャルサブフレームの長さに少なくとも部分的に基づく、請求項１１に記載の方法。
【請求項１３】
前記パーシャルサブフレームの前記長さに少なくとも部分的に基づいて、前記パーシャルサブフレームがアップリンクパーシャルサブフレームであるのかダウンリンクパーシャルサブフレームであるのかを決定すること
をさらに備える、請求項１２に記載の方法。
【請求項１４】
前記パーシャルサブフレームがアップリンクパーシャルサブフレームであるのかダウンリンクパーシャルサブフレームであるのかを決定した後に、
最初のまたは最後のパーシャルサブフレームの少なくとも１つのパラメータを調整すること
をさらに備える、請求項１３に記載の方法。
【請求項１５】
前記少なくとも１つのパラメータを調整することが、
所定の構成のリストから選択すること
を備える、請求項１４に記載の方法。
【請求項１６】
前記半静的パーシャルサブフレーム構成が適用されるパーシャルサブフレームの数、
前記半静的パーシャルサブフレーム構成が適用されるダウンリンクバーストの数、
前記半静的パーシャルサブフレーム構成が適用される持続時間、または、
代替指示が受信されるまで前記半静的パーシャルサブフレーム構成が適用されるという指示
のうちの少なくとも１つの指示を受信すること
をさらに備える、請求項１に記載の方法。
【請求項１７】
ユーザ機器（ＵＥ）におけるワイヤレス通信のための装置であって、
プロセッサと、
前記プロセッサと電子通信しているメモリと
を備え、
前記プロセッサおよびメモリは、
半静的パーシャルサブフレーム構成と、対応するパーシャルサブフレーム識別子とを受信すること、ここにおいて、前記半静的パーシャルサブフレーム構成は、制御部分およびデータ部分を有するパーシャルサブフレーム持続時間に関連する、と、
パーシャルサブフレームのための許可を受信すること、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を行うように構成された、装置。
【請求項１８】
前記プロセッサおよびメモリは、
無線リソース制御（ＲＲＣ）メッセージ中の前記半静的パーシャルサブフレーム構成を受信すること
を行うようにさらに構成された、請求項１７に記載の装置。
【請求項１９】
前記半静的パーシャルサブフレーム構成が、リソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、請求項１７に記載の装置。
【請求項２０】
前記プロセッサおよびメモリは、
パーシャルサブフレームに従って通信のための動的構成を受信することと、
前記動的パーシャルサブフレーム構成に少なくとも部分的に基づいて、前記パーシャルサブフレームに関してスケジュールされた前記データを受信することと、
を行うようにさらに構成された、請求項１７に記載の装置。
【請求項２１】
前記半静的パーシャルサブフレーム構成が、時間領域多重化（ＴＤＭ）構成または周波数領域多重化（ＦＤＭ）構成のうちの少なくとも１つを備える、請求項１７に記載の装置。
【請求項２２】
前記パーシャルサブフレームのための前記許可が、ハイブリッド自動再送要求（ＨＡＲＱ）識別子（ＩＤ）、または再送信インデックス、または新規データインジケータ（ＮＤＩ）、あるいはそれらの組合せを備える、請求項１７に記載の装置。
【請求項２３】
前記許可が専用無線周波数スペクトル帯域上で受信される、請求項１７に記載の装置。
【請求項２４】
前記プロセッサおよびメモリは、
前記半静的パーシャルサブフレーム構成に少なくとも部分的に基づいて、前記共有無線周波数スペクトル帯域上で複数のパーシャルサブフレームに関してスケジュールされたデータを受信すること
を行うようにさらに構成された、請求項１７に記載の装置。
【請求項２５】
前記プロセッサおよびメモリは、
少なくとも１つのフルサブフレーム中の、前記パーシャルサブフレーム中で最初に送信されたデータの再送信を受信すること
を行うようにさらに構成された、請求項１７に記載の装置。
【請求項２６】
前記半静的パーシャルサブフレーム構成が、サブフレームの始端において、またはサブフレームの終端において生じるパーシャルサブフレームのためのものである、請求項１７に記載の装置。
【請求項２７】
前記半静的パーシャルサブフレーム構成は、前記半静的パーシャルサブフレーム構成が適用されるパーシャルサブフレームのタイプを示す、請求項１７に記載の装置。
【請求項２８】
パーシャルサブフレームの前記タイプがパーシャルサブフレームの長さに少なくとも部分的に基づく、請求項２７に記載の装置。
【請求項２９】
ユーザ機器（ＵＥ）におけるワイヤレス通信のための装置であって、
半静的パーシャルサブフレーム構成と、対応するパーシャルサブフレーム識別子とを受信するための手段、ここにおいて、前記半静的パーシャルサブフレーム構成は、制御部分およびデータ部分を有するパーシャルサブフレーム持続時間に関連する、と、
パーシャルサブフレームのための許可を受信するための手段、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信するための手段と、
を備える、装置。
【請求項３０】
ワイヤレス通信のためのコンピュータ実行可能コードを記憶する非一時的コンピュータ可読媒体であって、前記コードは、
半静的パーシャルサブフレーム構成と、対応するパーシャルサブフレーム識別子とを受信すること、ここにおいて、前記半静的パーシャルサブフレーム構成は、制御部分およびデータ部分を有するパーシャルサブフレーム持続時間に関連する、と、
パーシャルサブフレームのための許可を受信すること、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
をプロセッサによって実行可能である命令を備える、非一時的コンピュータ可読媒体。
【手続補正２】
【補正対象書類名】明細書
【補正対象項目名】０２３８
【補正方法】変更
【補正の内容】
【０２３８】
[0256]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ユーザ機器（ＵＥ）におけるワイヤレス通信のための方法であって、
半静的パーシャルサブフレーム構成と、対応するパーシャルサブフレーム識別子とを受信することと、
パーシャルサブフレームのための許可を受信すること、ここで、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を備える、方法。
［Ｃ２］
無線リソース制御（ＲＲＣ）メッセージ中で前記半静的パーシャルサブフレーム構成を受信すること
をさらに備える、Ｃ１に記載の方法。
［Ｃ３］
前記半静的パーシャルサブフレーム構成が、少なくともリソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、Ｃ１に記載の方法。
［Ｃ４］
動的パーシャルサブフレーム構成を受信することと、
前記動的パーシャルサブフレーム構成に少なくとも部分的に基づいて、前記パーシャルサブフレームに関してスケジュールされた前記データを受信することと、
をさらに備える、Ｃ１に記載の方法。
［Ｃ５］
前記半静的パーシャルサブフレーム構成が、時間領域多重化（ＴＤＭ）構成または周波数領域多重化（ＦＤＭ）構成のうちの少なくとも１つを備える、Ｃ１に記載の方法。
［Ｃ６］
前記パーシャルサブフレームのための前記許可が、少なくともハイブリッド自動再送要求（ＨＡＲＱ）識別子（ＩＤ）、または再送信インデックス、または新規データインジケータ（ＮＤＩ）、あるいはそれらの組合せを備える、Ｃ１に記載の方法。
［Ｃ７］
前記許可が専用無線周波数スペクトル帯域上で受信される、Ｃ１に記載の方法。
［Ｃ８］
前記半静的パーシャルサブフレーム構成に少なくとも部分的に基づいて、前記共有無線周波数スペクトル帯域上で複数のパーシャルサブフレームに関してスケジュールされたデータを受信すること
をさらに備える、Ｃ１に記載の方法。
［Ｃ９］
少なくとも１つのフルサブフレーム中で、前記パーシャルサブフレーム中で最初に送信されたデータの再送信を受信すること
をさらに備える、Ｃ１に記載の方法。
［Ｃ１０］
前記半静的パーシャルサブフレーム構成が、サブフレームの始端において、またはサブフレームの終端において生じるパーシャルサブフレームのためのものである、Ｃ１に記載の方法。
［Ｃ１１］
前記半静的パーシャルサブフレーム構成は、前記半静的パーシャルサブフレーム構成が適用されるパーシャルサブフレームのタイプを示す、Ｃ１に記載の方法。
［Ｃ１２］
前記パーシャルサブフレームタイプがパーシャルサブフレームの長さに少なくとも部分的に基づき得る、Ｃ１に記載の方法。
［Ｃ１３］
前記パーシャルサブフレームの前記長さに少なくとも部分的に基づいて、前記パーシャルサブフレームがアップリンクパーシャルサブフレームであるのかダウンリンクパーシャルサブフレームであるのかを決定すること
をさらに備える、Ｃ１２に記載の方法。
［Ｃ１４］
前記パーシャルサブフレームがアップリンクパーシャルサブフレームであるかどうかを決定した後に、
最初のまたは最後のパーシャルサブフレームの少なくとも１つのパラメータを調整すること
をさらに備える、Ｃ１３に記載の方法。
［Ｃ１５］
前記少なくとも１つのパラメータを調整することが、
所定の構成のリストから選択すること
をさらに備え得る、Ｃ１４に記載の方法。
［Ｃ１６］
前記半静的パーシャルサブフレーム構成が適用されるパーシャルサブフレームの数、前記半静的パーシャルサブフレーム構成が適用されるダウンリンクバーストの数、前記半静的パーシャルサブフレーム構成が適用される持続時間、または代替指示が受信されるまで前記半静的パーシャルサブフレーム構成が適用されるという指示のうちの少なくとも１つの指示を受信すること
をさらに備える、Ｃ１に記載の方法。
［Ｃ１７］
ユーザ機器（ＵＥ）におけるワイヤレス通信のための装置であって、
半静的パーシャルサブフレーム構成と、対応するパーシャルサブフレーム識別子とを受信するための手段と、
パーシャルサブフレームのための許可を受信するための手段、ここで、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信するための手段と、
を備える、装置。
［Ｃ１８］
無線リソース制御（ＲＲＣ）メッセージ中で前記半静的パーシャルサブフレーム構成を受信するための手段
をさらに備える、Ｃ１７に記載の装置。
［Ｃ１９］
前記半静的パーシャルサブフレーム構成が、少なくともリソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、Ｃ１７に記載の装置。
［Ｃ２０］
動的パーシャルサブフレーム構成を受信するための手段と、
前記動的パーシャルサブフレーム構成に少なくとも部分的に基づいて、前記パーシャルサブフレームに関してスケジュールされた前記データを受信するための手段と、
をさらに備える、Ｃ１７に記載の装置。
［Ｃ２１］
前記半静的パーシャルサブフレーム構成が、時間領域多重化（ＴＤＭ）構成または周波数領域多重化（ＦＤＭ）構成のうちの少なくとも１つを備える、Ｃ１７に記載の装置。
［Ｃ２２］
前記パーシャルサブフレームのための前記許可が、少なくともハイブリッド自動再送要求（ＨＡＲＱ）識別子（ＩＤ）、または再送信インデックス、または新規データインジケータ（ＮＤＩ）、あるいはそれらの組合せを備える、Ｃ１７に記載の装置。
［Ｃ２３］
前記許可が専用無線周波数スペクトル帯域上で受信される、Ｃ１７に記載の装置。
［Ｃ２４］
前記半静的パーシャルサブフレーム構成に少なくとも部分的に基づいて、前記共有無線周波数スペクトル帯域上で複数のパーシャルサブフレームに関してスケジュールされたデータを受信するための手段
をさらに備える、Ｃ１７に記載の装置。
［Ｃ２５］
少なくとも１つのフルサブフレーム中で、前記パーシャルサブフレーム中で最初に送信されたデータの再送信を受信するための手段
をさらに備える、Ｃ１７に記載の装置。
［Ｃ２６］
前記半静的パーシャルサブフレーム構成が、サブフレームの始端において、またはサブフレームの終端において生じるパーシャルサブフレームのためのものである、Ｃ１７に記載の装置。
［Ｃ２７］
前記半静的パーシャルサブフレーム構成は、前記半静的パーシャルサブフレーム構成が適用されるパーシャルサブフレームのタイプを示す、Ｃ１７に記載の装置。
［Ｃ２８］
パーシャルサブフレームの前記タイプがパーシャルサブフレームの長さに少なくとも部分的に基づき得る、Ｃ２７に記載の装置。
［Ｃ２９］
ユーザ機器（ＵＥ）におけるワイヤレス通信のための装置であって、
プロセッサと、
前記プロセッサと電子通信しているメモリと
を備え、
前記プロセッサおよびメモリは、
半静的パーシャルサブフレーム構成と、対応するパーシャルサブフレーム識別子とを受信することと、
パーシャルサブフレームのための許可を受信すること、ここで、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を行うように構成された、装置。
［Ｃ３０］
ワイヤレス通信のためのコンピュータ実行可能コードを記憶する非一時的コンピュータ可読媒体であって、前記コードは、
半静的パーシャルサブフレーム構成と、対応するパーシャルサブフレーム識別子とを受信することと、
パーシャルサブフレームのための許可を受信すること、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を少なくとも１つのプロセッサに行わせる、非一時的コンピュータ可読媒体。